(57)【要約】【課題】特に大型のフレキシブルバッグに内容物を充填する際に、一斗缶充填機とリテーナを用いることによって多大な設備費や設置スペースを必要とせず、高速充填が可能で、しかも液状内容物が外箱に付着したり、外箱の紙粉異物が液状内容物に混入することがなく、規定量の充填が出来、安定したキャップ打栓が出来るバッグインボックス製造装置及びバッグインボックス製造方法を提供する。【解決手段】リテーナー１４２と、フレキシブルバッグセット手段１４３と、充填機１４４と、段ボール製函手段１４８と、フレキシブルバッグ移し替え手段１４９と、段ボール封緘手段１５０と、空リテーナー回収手段１５１と、を備えており、リテーナーは、スパウトホルダー部と、固定台座を備え、固定台座でスパウト部を下方から押さえてスパウトにキャップを打栓する。【選択図】図９
2015051773.tif 000002
【特許請求の範囲】
【請求項１】
フレキシブルバッグに液状内容物を充填した後、段ボールに収納してバッグインボックスを製造する装置であって、
リテーナーと、フレキシブルバッグセット手段と、充填機と、段ボール製函手段と、フレキシブルバッグ移し替え手段と、段ボール封緘手段と、空リテーナー回収手段と、を備えており、
リテーナーは、充填前に予め空のフレキシブルバッグをセットするもので、
フレキシブルバッグセット手段は、空のフレキシブルバッグを前記リテーナーにセットするもので、
充填機は、前記リテーナーにセットされたフレキシブルバッグに液状内容物を充填する充填機であって、
段ボール製函手段は前記液状内容物が充填されたフレキシブルバッグを収納する段ボールを製函するもので、
フレキシブルバッグ移し替え手段は、液状内容物が充填されたフレキシブルバッグをリテーナーから前記製函された段ボールに移し替えるもので、
段ボール封緘手段は、前記液状内容物が充填されたフレキシブルバッグを収納した段ボールを封緘するもので、
空リテーナー回収手段は、前記液状内容物が充填されたフレキシブルバッグが段ボールに移し替えられ空になったリテーナーを回収するもので、
前記リテーナーは、上下に稼動可能でスパウトを保持するスパウトホルダー部と、固定台座を備え、固定台座でスパウト部を下方から押さえてスパウトにキャップを打栓することを特徴とするバッグインボックス製造装置。
【請求項２】
前記リテーナーは循環して使用されることを特徴とする請求項１に記載のバッグインボックス製造装置。
【請求項３】
前記充填機は一斗缶用ロータリー式充填機であることを特徴とする請求項１または２に記載のバッグインボックス製造装置。
【請求項４】
前記充填機は一斗缶用縦型充填機であることを特徴とする請求項１または２に記載のバッグインボックス製造装置。
【請求項５】
請求項１から４のいずれかに記載のバッグインボックス製造装置を用いてバッグインボックスを製造することを特徴とするバッグインボックス製造方法。
【発明の詳細な説明】
【技術分野】
【０００１】
本発明は、液状内容物を充填したフレキシブルバッグを収納段ボールに収納してバッグインボックスを製造する装置及び製造方法に関するものである。
【背景技術】
【０００２】
図１は従来のバッグインボックスの製造装置の構成の一例を示す図である。図１に示されるバッグインボックスの製造装置は充填ラインが１列のものである。連続する長尺状のバッグ１が矢印２で示される搬送方向に搬送され、充填部３で所定の液状内容物が充填され、充填部３より延設されたコンベア４と、該コンベア４の矢印５で示される搬送方向の先端部に配置されたバッグシューター６と、該バッグシューター６の下側に、前記コンベア４に対して直交方向に、段ボール７を矢印８の方向に供給するコンベア９を備えているものである。尚、充填機に供給されるバッグのキャップが施封されていないスパウト１０は、符号１１で示すように充填後キャップが施封される場合の他に、元々キャップが付いた状態で充填機に供給され充填機内でキャップを離脱し、充填、再打栓される場合がある。
【０００３】
長尺状の連続するバッグ１を前記充填部３に供給し、該充填部３にて、連続するバッグ１のスパウト１０（キャップ１１を取り外したもの）からバッグ１内に所定の液状内容物を充填した後、充填された連続するバッグ１を、カッティング部１２で各１個ずつのバッグ１ａとしてカッティングし、コンベア４の駆動ロール４ａで矢印５の方向にシューター６まで搬送して、段ボール７を供給するコンベア９のロール９ａ（又はベルト）によって、段ボール７をシューター６の下側に供給して、１個の段ボール７内に該バッグ１ａを１個ずつ収納するようにしている。
【先行技術文献】
【特許文献】
【０００４】
【特許文献１】特開２０１２−１１６５６８号公報
【特許文献２】特開２０１３−４３６４６号公報
【発明の概要】
【発明が解決しようとする課題】
【０００５】
バッグインボックスの製造装置では高速製造が要求される。図１に示される充填ラインが１列のバッグインボックスの製造装置では、１個のバッグインボックスの充填時間によって製造時間が決定されるため、高速でバッグインボックスを製造することは困難であった。
【０００６】
図２は図１とは別のバッグインボックスの製造装置の構成の一例を示す図であって、バッグインボックスの製造速度を速めた装置であって、例えば３列の充填ラインを備えたものである。
【０００７】
図２に示すバッグインボックスの製造装置の場合は、充填部３の数と同数のシューター６と段ボール７の供給ラインとを必要とするため、装置が複雑になり、多大の設備費や設置スペースが必要となる。
【０００８】
また、上記のような複数ラインの充填部を備えた装置としては、図３に示すように、バッグ１ａ、１ｂを搬送する２列のコンベア４−１、４−２を備え、１箇所の段ボール供給位置にてバッグ１ａ、１ｂを収納出来るようにした装置がある。
【０００９】
この装置は連続する複数列の長尺状のバッグ１−１、１−２内に、各列毎に所定の液状内容物を充填するための２個の充填部３−１、３−２と、各充填部より延設された各コンベア４−１、４−２と、該各々コンベアの搬送方向５−１、５−２の先端部の間を、前記コンベア４−１、４−２に対して直交する方向に往復移動する移送手段１３（スライドテーブルユニット、ベルトコンベア、ロールコンベアなど）と、コンベア４−１、４−２に対して該移送手段１３の反対側に配置されたバッグシューター６と、該バッグシューター６の下側に、前記コンベア４−１及びコンベア４−２に対して直交方向に段ボール７を供給するコンベア９を備えたものがある。
【００１０】
この装置の場合は、移送手段１３の機構が複雑になり、またその移送往復に要する時間は、２列のコンベア４−１、４−２の間隔を移動するだけの時間を必要とする。
【００１１】
更に図３とは別の高速で充填する装置としては、図４に示すような充填部が回転式となっているロータリー式充填機がある。図４に示されるロータリー式充填機は、容器供給部２１において容器２２を矢印２３で示す方向に搬送して充填ユニット２４に供給する。充填部２５の充填ユニット２４（図４の場合は８個の充填ユニットがある）は矢印２６の方向に連続回転しながら、供給された容器に液状内容物を充填する。充填の終わった容器２７は容器回収部２８において矢印２９で示される方向に搬送され回収される。
【００１２】
また、上記ロータリー式充填機とは別の図５に示すような縦型充填機がある。図５に示される縦型充填機は、容器供給部１６１において容器１６２を矢印５３で示す方向に搬送して充填部１６５に供給する。充填部１６５の充填ユニット１６４（図５の場合は３個（３ヘッド）の充填ユニットがある）は、供給された容器に液状内容物を充填する。充填の終わった容器１６７は容器回収部１６８において矢印５９で示される方向に搬送され回収される。このような縦型充填機では、同時に複数の容器１６２を容器供給部１６１で供給し、それと同数の充填ユニットで充填することによって高速充填を可能にしている。
【００１３】
一般的に、図４、図５に示されるロータリー式充填機や縦型充填機は、図１〜図３に示す充填機と比較して高速で充填することが出来るが、充填される容器として缶、ペットボトル、紙容器といった自立可能なある程度の剛性を有する容器を対象とするものであって、図６に示されるフレキシブルバッグのような柔軟な容器の場合は、上記充填機は使用されていない。
【００１４】
使用されていない理由として、上記ロータリー式充填機や縦型充填機に空のフレキシブルバッグをセットすること、及び充填後に搬出して段ボールに回収することは、特にバッグが大型のフレキシブルバッグの場合には位置合わせ等が難しかったことが問題となっていた。
【００１５】
上記フレキシブルバッグは、図６（ａ）及び（ｂ）の側面図に示すようなものであって、フレキシブルバッグ３１のバッグ本体は、柔軟なプラスチックフィルム製の包材を袋状にしたものであり、シール部３１ａによって袋状にしたバッグ本体の上部の一部開口部に、液状内容物注入出用のスパウト３２を接続し、キャップ３２ａによって施封されている。
【００１６】
そしてバッグを段ボール投入時の状態は、上記図６（ａ）のように立方体形状のもの、あるいは図６（ｂ）のように偏平形状のもの等がある。
【００１７】
一般的に、バッグインボックス型の液状包装における段ボール３４内に収納される上記バッグ３１の姿勢については、前記キャップ３２ａ部分が常に上側を向き、シール部３１
ａが水平になって段ボール３４内に収納されることが必要であるが、上記フレキシブルバッグ３１を上記ロータリー式充填機や縦型充填機で充填した場合においては、充填されたフレキシブルバッグの段ボール３４内での姿勢は不揃いになりやすい。
【００１８】
上記問題を解決するために、図７に示すように、充填前にフレキシブルバッグ３１を段ボール３４に予めセットしておき、フレキシブルバッグ３１が収納された段ボール３４を上記ロータリー式充填機や縦型充填機に供給して充填することも考えられるが、この場合には液状内容物が段ボール３４に付着して汚したり、段ボール３４の紙粉異物が液状内容物に混入するといった問題があった。
【００１９】
また、上記ロータリー式充填機や縦型充填機によって充填が可能で、しかも液状内容物が段ボールに付着したり、段ボールの紙粉異物が液状内容物に混入するといった上記問題を解決するためのリテーナーが提案されている。図８に該リテーナーの一例を示す。図８に示されるリテーナー５２はプラスチック製あるいは金属製のものであって、埃を発生しない材料で作製されたもので、空のフレキシブルバッグを内部にセットすることが出来る。図８に示されるリテーナー５２は、開放された天面５２ａと、底部５２ｂと、４つの側面５２ｃ−１、５２ｃ−２、５２ｃ−３、５２ｃ−４からなっている。４つの側面の内５２ｃ−４は、部分開放されており、部分的に壁面５２ｃ−４ａが形成されている。また、開放された側面５２ｃ−４と対向する側面即ち、側面５２ｃ−２の上端にはフレキシブルバッグを保持するスパウトホルダー部５２ｄが備えられており、スパウトホルダー部５２ｄにフレキシブルバッグが保持された状態で液状内容物が充填される。
【００２０】
しかしながら、上記ロータリー式充填機や縦型充填機によって充填された後に行われるキャップ打栓（キャップを取り付けること）の際に、上記の方法ではフレキシブルバッグのスパウト３２が垂直に正確に保持されていないために、キャップ打栓が斜めになってしまい正確に行われない。その結果、内容物が洩れてしまうといった問題がある。
【００２１】
そこで本発明は、特に大型のフレキシブルバッグに内容物を充填する際に、多大な設備費や設置スペースを必要とせず、高速充填が可能で、しかも液状内容物が外箱に付着したり、外箱の紙粉異物が液状内容物に混入することがなく、規定量の充填が出来、安定したキャップ打栓が出来るバッグインボックス製造装置及びバッグインボックス製造方法を提供することを目的とする。
【課題を解決するための手段】
【００２２】
本発明の請求項１に係る発明は、フレキシブルバッグに液状内容物を充填した後、段ボールに収納してバッグインボックスを製造する装置であって、
リテーナーと、フレキシブルバッグセット手段と、充填機と、段ボール製函手段と、フレキシブルバッグ移し替え手段と、段ボール封緘手段と、空リテーナー回収手段と、を備えており、
リテーナーは、充填前に予め空のフレキシブルバッグをセットするもので、
フレキシブルバッグセット手段は、空のフレキシブルバッグを前記リテーナーにセットするもので、
充填機は、前記リテーナーにセットされたフレキシブルバッグに液状内容物を充填する充填機であって、
段ボール製函手段は前記液状内容物が充填されたフレキシブルバッグを収納する段ボールを製函するもので、
フレキシブルバッグ移し替え手段は、液状内容物が充填されたフレキシブルバッグをリテーナーから前記製函された段ボールに移し替えるもので、
段ボール封緘手段は、前記液状内容物が充填されたフレキシブルバッグを収納した段ボールを封緘するもので、
空リテーナー回収手段は、前記液状内容物が充填されたフレキシブルバッグが段ボールに移し替えられ空になったリテーナーを回収するもので、
前記リテーナーは、上下に稼動可能でスパウトを保持するスパウトホルダー部と、固定台座を備え、固定台座でスパウト部を下方から押さえてスパウトにキャップを打栓することを特徴とするバッグインボックス製造装置である。
【００２３】
本発明の請求項２に係る発明は、前記リテーナーは循環して使用されることを特徴とする請求項１に記載のバッグインボックス製造装置である。
【００２４】
本発明の請求項３に係る発明は、前記充填機は一斗缶用ロータリー式充填機であることを特徴とする請求項１または２に記載のバッグインボックス製造装置である。
【００２５】
本発明の請求項４に係る発明は、前記充填機は一斗缶用縦型充填機であることを特徴とする請求項１または２に記載のバッグインボックス製造装置である。
【００２６】
本発明の請求項５に係る発明は、請求項１から４のいずれかに記載のバッグインボックス製造装置を用いてバッグインボックスを製造することを特徴とするバッグインボックス製造方法である。
【発明の効果】
【００２７】
本発明によるバッグインボックス製造装置によれば、特に大型のフレキシブルバッグに内容物を充填する際に、既存の一斗缶用充填機を用いて充填することが可能で、多大な設備費や設置スペースを必要とせず高速充填することが出来、しかも液状内容物が外箱に付着したり、外箱の紙粉異物が液状内容物に混入することがなく、規定量の充填が出来、また安定したキャップ打栓が可能となる。
【図面の簡単な説明】
【００２８】
【図１】従来のバッグインボックスの製造装置の構成の一例を示す図。
【図２】図１とは別のバッグインボックスの製造装置の構成の一例を示す図。
【図３】複数ラインの充填部を備えたバッグインボックスの製造装置を示す図。
【図４】充填部がロータリー式となっているロータリー式充填機を示す図。
【図５】縦型充填機を示す図。
【図６】フレキシブルバッグの側面図。（ａ）は立方体形状のフレキシブルバッグ。（ｂ）は偏平形状のフレキシブルバッグを示す。
【図７】充填前にフレキシブルバッグを段ボールに予めセットしたことを示す図。
【図８】従来提案されていたリテーナーの一例を示す図。
【図９】本発明のバッグインボックス製造装置の概略構成を示す模式図。
【図１０】本発明のバッグインボックス製造装置に適用されるフレキシブルバッグの一例を示す模式図。
【図１１】本発明に係るリテーナーの一例を示す模式図。
【図１２】空のフレキシブルバッグを本発明に係るリテーナーにセットする場合を示す図。（ａ）はフレキシブルバッグをリテーナーに供給することを示す図。（ｂ）は空のフレキシブルバッグがスパウトホルダー部に保持されてセットされることを示す図。
【図１３】フレキシブルバッグが本発明に係るスパウトホルダー部に保持されてセットされた状態を説明するための図。（ａ）はスパウトホルダー部及びスパウトの上面図であって、フレキシブルバッグのスパウトが矢印８０の方向に押し込まれることを示す図。（ｂ）はフレキシブルバッグのスパウトがスパウトホルダー部に嵌めこまれることを示す図。
【図１４】フレキシブルバッグのスパウトを本発明に係るスパウトホルダー部に保持する方法の一例を示す図。
【図１５】本発明に係る充填機の充填ノズルが矢印６５で示す方向に下降してフレキシブルバッグに液状内容物が充填されることを示す図。
【図１６】本発明に係る固定台座が矢印６３の方向に更に上昇してフレキシブルバッグのスパウトを下方から押さえ込むことを示す図。
【図１７】キャップホルダーが矢印６４で示す方向に下降しキャップがスパウトに打栓されることを示す図。
【図１８】液状内容物が充填されたフレキシブルバッグが矢印８３で示される方向に落下して段ボールに収納されることを示す図。
【図１９】縦型充填機を用いた本発明のバッグインボックス製造装置の概略構成を示す模式図。
【発明を実施するための形態】
【００２９】
以下、図面を参照して本発明のバッグインボックス製造装置を実施するための形態を説明する。
【００３０】
図９は本発明のバッグインボックス製造装置の概略構成を示す模式図で、充填機がロータリー式充填機の場合を示す図である。バッグインボックス製造装置は、リテーナー１４２と、フレキシブルバッグセット手段１４３と、充填機１４４と、段ボール製函手段１４８と、フレキシブルバッグ移し替え手段１４９と、段ボール封緘手段１５０と、空リテーナー回収手段１５１と、を備えている。
【００３１】
リテーナーは、充填前に予め空のフレキシブルバッグ１４１がフレキシブルバッグセット手段１４３によってセットされる充填用の箱である。充填機１４４はリテーナー１４２にセットされたフレキシブルバッグに液状内容物を充填する。図９に示される充填機１４４の場合は、充填ユニット１４４ａが８個あり、矢印１４０で示す方向に回転しながら充填を行い、１回転する間に８個のフレキシブルバッグに充填することが出来る。
【００３２】
段ボール製函手段１４８は前記液状内容物が充填されたフレキシブルバッグを収納する段ボールを製函して箱状の段ボール１４７とする。フレキシブルバッグ移し替え手段１４９は、液状内容物が充填されたフレキシブルバッグをリテーナーから前記製函された段ボール１４７に移し替える。段ボール封緘手段１５０は、前記液状内容物が充填されたフレキシブルバッグを収納した段ボール１４７を封緘する。
【００３３】
空リテーナー回収手段１５１は、前記液状内容物が充填されたフレキシブルバッグが段ボールに移し替えられ空になったリテーナー１４２を回収する搬送コンベアである。
【００３４】
図１０は本発明のバッグインボックス製造装置に適用されるフレキシブルバッグの一例を示す模式図である。フレキシブルバッグ１４１は、柔軟なプラスチックフィルム製の包材を袋状にしたものであり、バッグ本体１４１ａの上部の一部開口部に、液状内容物注入出用のスパウト１４１ｂを接続し、キャップ１４１ｃによって施封されている。スパウト１４１ｂにはヒンジ１４１ｂ−１、１４１ｂ−２、１４１ｂ−３とスパウト接続部１４１ｂ−４が設けられている。
【００３５】
図１１は本発明に係るリテーナー１４２の一例を示す模式図である。リテーナー１４２はプラスチック製あるいは金属製のものであって、埃を発生しない材料で作製されたもので、空のフレキシブルバッグを内部にセットすることが出来る。リテーナー１４２は、開
放された天面１４２ａと、底面１４２ｂと、４つの側面１４２ｃ−１、１４２ｃ−２、１４２ｃ−３、１４２ｃ−４からなっている。４つの側面の内１４２ｃ−４は、部分開放されており、部分的に壁面１４２−４ａが形成されている。また、開放された側面１４２ｃ−４と対向する側面即ち、側面１４２ｃ−２の上端の一部にはフレキシブルバッグのスパウト部を保持する手段であるスパウトホルダー部１４２ｄを矢印６１で示す方向に下降させるための開放部１４２ｃ−２ａが設けられている。更に底面１４２ｂにはフレキシブルバッグのスパウトを下方から押さえ込む固定台座１４２ｅを矢印６２で示す方向に上昇させるための挿入口１４２ｂ−１ａが設けられている。リテーナー１４２は一斗缶の外形、大きさを一斗缶と合わせる事によって従来の一斗缶用ロータリー充填機を改造することなしで使用することが出来る。しかしこれに限定されるものではない。
【００３６】
図１２は空のフレキシブルバッグ１４１をリテーナー１４２にセットする場合を示した図で、図示しない帯状に連なったフレキシブルバッグを１個のフレキシブルバッグ１４１に切り離した後、リテーナー１４２に供給する（図１２（ａ））。この場合、フレキシブルバッグ１４１のスパウト１４１ｂにキャップが施封されていた場合にはキャップは離脱される。
【００３７】
一方、リテーナー１４２ではスパウトホルダー部１４２ｄが開放部１４２ｃ−２ａで矢印６１の方向に下降し、また固定台座１４２ｅが挿入口１４２ｂ−１ａで矢印６２の方向に上昇する。
【００３８】
次に空のフレキシブルバッグ１４１はリテーナー１４２にセットされる。リテーナー１４２に空のフレキシブルバッグ１４１がセットされる場合は、フレキシブルバッグ１４１はスパウトホルダー部１４２ｄに保持されてセットされる（図１２（ｂ））。
【００３９】
充填機に一斗缶充填機を用いる場合は、フレキシブルバッグ１４１がスパウトホルダー部１４２ｄにセットされる位置は一斗缶の内容物注出口の位置となるようにすることによって、一斗缶充填機の改造を行う必要がない。
【００４０】
図１３はフレキシブルバッグ１４１がスパウトホルダー部１４２ｄに保持されてセットされた状態を説明するための図である。図１３（ａ）はスパウトホルダー部１４２ｄ及びスパウト１４１ｂの上面図であって、フレキシブルバッグのスパウト１４１ｂは矢印８０の方向に押し込まれてスパウト１４１ｂのスパウト接続部１４１ｂ−４がスパウトホルダー部１４２ｄの凹部１４２ｄ−１に嵌めこまれる（図１３（ｂ））。この場合スパウトホルダー部１４２ｄの凹部の寸法（Ｄ１）をスパウト１４１ｂのスパウト接続部１４１ｂ−４の直径（Ｄ２）よりもわずかに小さくすることによって保持し易くなる。
【００４１】
図１４にフレキシブルバッグ１４１のスパウト１４１ｄをスパウトホルダー部１４２ｄに保持する方法の一例を示す。フレキシブルバッグ１４１のスパウト１４１ｂのヒンジ１４１ｂ−２と１４１ｂ−３間にフレキシブルバッグセット手段であるスパウト押し込み具１５５を挿入する（図１４（ａ））。図１４（ｂ）は図１４（ａ）の矢印８１の方向から見た図である。更にスパウト１４１ｂのヒンジ１４１ｂ−２と１４１ｂ−３間にスパウト押し込み具１５５を挿入した状態で水平方向に移動してスパウトホルダー部１４２ｄの凹部にスパウト１４１ｂのスパウト接続部１４１ｂ−４を押し込む（図１４（ｃ））。このようにして空のフレキシブルバッグ１４１はリテーナー１４２にセットされる。
【００４２】
このようにして空のフレキシブルバッグ１４１がリテーナー１４２にセットされた後、図１５に示すように充填ノズル１４４ｂが矢印６５で示す方向に下降してフレキシブルバッグ１４１に液状内容物が充填される。この場合フレキシブルバッグ１４１は上から吊り下げられた状態であるために、内容物が袋状のバッグ本体１４１ａ内に広がり易く、規定量の充填が出来る。
【００４３】
充填後は充填ノズル１４４ｂが退き、次に図１６に示すように固定台座１４２ｅが矢印６３の方向に更に上昇してフレキシブルバッグのスパウト１４１ｂを下方から押さえ込む。この状態で図１７に示すようにキャップホルダー１５３が矢印６４で示す方向に下降しキャップ１５４がスパウト１４１ｂに打栓される。この場合スパウトホルダー部１４２ｄによってスパウト１４１ｂが保持され、更に固定台座１４２ｅによってスパウト１４１ｂが押し込まれているためキャップが斜め打栓されることはなく、キャップの勘合を確実に行うことが出来る。また、固定台座１４２ｅがフレキシブルバッグのスパウト１４１ｂを下方から押さえ込むことによって、フレキシブルバッグの充填時に用いられるいわゆるエアレスフィルの役目を果たすことが出来るため、スパウト１４１ｂ直下のエア残りをなくすことが出来る。
【００４４】
上記説明では、スパウトホルダー部１４２ｄ及び固定台座１４２ｅは一例であって、これに限定するものではない。
【００４５】
このようにして液状内容物の充填とキャップの打栓が行われたフレキシブルバッグはスパウトホルダー部１４２ｄで保持されていたスパウトがスパウトホルダー部１４２ｄから開放され(例えばセット時とは逆方向にスパウトを移動する手段によって開放され)、スパウトホルダー部１４２ｄはリテーナーの上方に上昇し、また固定台座１４２ｅが下降してリテーナーの下側に退いた後に、図９に示す搬出コンベア１４６によって移し替え装置１４９に搬送され、更に段ボール１４７に移し替えられる。
【００４６】
液体内容物が充填されたフレキシブルバッグを収納する段ボール１４７を製函する段ボール製函装置１４８は一般に用いられている段ボール製函装置を採用することが出来る。
【００４７】
移し替え装置１４９は、搬出されたリテーナーから液状内容物が充填されたフレキシブルバッグを上記製函された段ボールに移し替えて収納する装置であって、開口した段ボール上にリテーナーを搬送した後、段ボール上で図１８に示すようにリテーナーの底部１４２ｂが矢印８２の方向に回転して開口することによって、液状内容物が充填されたフレキシブルバッグ１４１が矢印８３で示される方向に落下して段ボールに収納される。段ボールへフレキシブルバッグ１４１を収納する方法は上記の落下する方法に限定するものではない。
【００４８】
液状内容物が充填されたフレキシブルバッグが収納された段ボールを封緘する段ボール封緘装置１５０は、一般的に用いられている封緘装置を採用することが出来る。
【００４９】
一方、空になったリテーナー１４２は回収コンベア１５１によって、フレキシブルバッグセット装置１４３に搬送され、その後、再び空のフレキシブルバッグ１４１がセットされる。このようにリテーナー１４２は循環して使用される。また、リテーナー１４２は折りたたみが可能な構造とすることによって、保管場所を抑制することが出来る。
【００５０】
上記説明ではロータリー式充填機の場合を例示したが、縦型充填機であっても良い。図１９は縦型充填機を用いたバッグインボックス製造装置の概略構成を示す模式図である。縦型充填機を用いたバッグインボックス製造装置は、リテーナー１４２と、フレキシブルバッグセット手段１４３と、充填機５５と、段ボール製函手段１４８と、フレキシブルバッグ移し替え手段１４９と、段ボール封緘手段１５０と、空リテーナー回収手段１５１と、を備えている。
【００５１】
縦型充填機を用いたバッグインボックス製造装置の場合は、フレキシブルバッグセット
手段１４３によってフレキシブルバッグ１４１がリテーナー１４２にセットされる。リテーナー１４２は上記ロータリー式充填機の場合と同様のリテーナーを用いることが出来る。フレキシブルバッグ１４１がセットされたリテーナー１７２は、搬入コンベア１４５によってリテーナー停留部１７１に搬入される。搬入されたリテーナー１７２は一旦リテーナー停留部１７１に留められ、（図１８の場合は）３個のリテーナーが揃った時点で充填部１７５に搬入コンベア１５２によって搬入される。その後充填部１７５の充填ユニット１７４によって液体内容物が充填される。
【００５２】
充填後の各処理手段は、上記ロータリー式充填機の場合と同じ処理手段を用いることが出来る。
【００５３】
以上のように本発明のバッグインボックスの製造装置及び製造方法によれば、リテーナーにフレキシブルバッグを正確に保持出来るようにセットすることが出来、更に既存の一斗缶に充填するロータリー式充填機及び縦型充填機を用いて充填することが出来るため、多大な設備費や設置スペースを必要とせず、高速充填が可能で規定量の充填が出来、安定したキャップ打栓が出来る。また、液状内容物が外箱に付着したり、外箱の紙粉異物が液状内容物に混入することを防ぐことが出来る。更にリテーナーは循環して使用出来るといった利点がある。
【符号の説明】
【００５４】
１・・・連続する長尺状のバッグ
１−１、１−２・・・連続する複数列の長尺状のバッグ
１ａ、１ｂ・・・一個にカッティングされたバッグ
２・・・連続する長尺状のバッグが搬送される方向を示す矢印
３・・・充填部
３−１、３−２・・・２個の充填部
４・・・充填部より延設されたコンベア
４−１、７２・・・バッグ１ａ、１ｂを搬送する２列のコンベア
４ａ・・・コンベア４の駆動ロール
５・・・コンベア４の先端方向を示す矢印
５−１、５−２・・・コンベア４−１、７２の搬送方向を示す矢印
６・・・シューター
７・・・段ボール
８・・・段ボールを供給する方向を示す矢印
９・・・コンベア
９ａ・・・コンベア９のロール
１０・・・キャップが施封されていないスパウト
１１・・・キャップが施封されたスパウト
１２・・・カッティング部
１３・・・往復移動する移送手段
２１・・・容器供給部
２２・・・容器
２３・・・容器２２を搬送する方向を示す矢印
２４・・・充填ユニット
２５・・・充填部
２６・・・充填ユニットが回転する方向を示す矢印
２７・・・充填の終わった容器
２８・・・容器回収部
２９・・・充填の終わった容器２７が搬送され回収される方向を示す矢印
３１・・・フレキシブルバッグ
３１ａ・・・フレキシブルバッグ３１のシール部
３２・・・スパウト
３２ａ・・・キャップ
３４・・・段ボール
５２・・・リテーナー
５２ａ・・・開放された天面
５２ｂ・・・底部
５２ｃ−１、５２ｃ−２、５２ｃ−３、５２ｃ−４・・・４つの側面
５２ｃ−４ａ・・・壁面
５２ｄ・・・スパウトホルダー部
６１・・・スパウトホルダー部が下降する方向
６２・・・固定台座が上昇する方向
６３・・・固定台座が更に上昇する方向
６４・・・キャップホルダーが下降する方向
６５・・・充填ノズルが下降する方向
８０・・・フレキシブルバッグのスパウトが押し込まれる方向
８１・・・図１４（ａ）を見る方向
８２・・・リテーナーの底部が回転する方向
８３・・・液体内容物が充填されたフレキシブルバッグが落下する方向
１４０・・・充填ユニットの回転方向
１４１・・・フレキシブルバッグ
１４１ａ・・・袋状のバッグ本体
１４１ｂ・・・スパウト
１４１ｂ−１、１４１ｂ−２、１４１ｂ−３・・・スパウトのヒンジ
１４１ｂ−４・・・スパウト接続部
１４１ｃ・・・キャップ
１４２・・・リテーナー
１４２−４ａ・・・壁面
１４２ａ・・・開放された天面
１４２ｂ・・・底面
１４２ｂ−１ａ・・・固定台座の挿入口
１４２ｃ−１、１４２ｃ−２、１４２ｃ−３、１４２ｃ−４・・・リテーナーの側面
１４２ｃ−２ａ・・・開放部
１４２ｄ・・・スパウトホルダー部
１４２ｄ−１・・・スパウトホルダー部の凹部
１４２ｅ・・・固定台座
１４３・・・フレキシブルバッグセット手段
１４４・・・充填機
１４４ａ・・・充填ユニット
１４４ｂ・・・充填ノズル
１４６・・・搬出コンベア
１４７・・・段ボール
１４８・・・段ボール製函手段
１４９・・・移し替え装置
１５０・・・段ボール封緘手段
１５１・・・空リテーナー回収手段
１５２・・・搬入コンベア
１５３・・・キャップホルダー
１５４・・・キャップ
１５５・・・スパウト押し込み具
１６１・・・容器供給部
１６２・・・容器
１６５・・・充填部
１６４・・・充填ユニット
１６７・・・充填が終わった容器
１６８・・・容器回収部
１７１・・・リテーナー停留部
１７２・・・リテーナー
１７４・・・充填ユニット
１７５・・・充填部
Ｄ１・・・スパウトホルダー部の凹部の寸法
Ｄ２・・・スパウト接続部の直径
【図１】
2015051773.tif 000003
【図２】
2015051773.tif 000004
【図３】
2015051773.tif 000005
【図４】
2015051773.tif 000006
【図５】
2015051773.tif 000007
【図６】
2015051773.tif 000008
【図７】
2015051773.tif 000009
【図８】
2015051773.tif 000010
【図９】
2015051773.tif 000011
【図１０】
2015051773.tif 000012
【図１１】
2015051773.tif 000013
【図１２】
2015051773.tif 000014
【図１３】
2015051773.tif 000015
【図１４】
2015051773.tif 000016
【図１５】
2015051773.tif 000017
【図１６】
2015051773.tif 000018
【図１７】
2015051773.tif 000019
【図１８】
2015051773.tif 000020
【図１９】
2015051773.tif 000021